(57)【要約】【課題】使用時の転写作業を安定して行えるとともに、転写テープの片浮きによる転写失敗を効果的に防止することができるようにした塗膜転写具を提供する。【解決手段】前端９ａに転写ヘッド１４を設けたヘッド部材９を、ケース本体１の前端開口７に、転写ヘッド１４が上下しうるように設けるとともに、このヘッド部材９を、使用時に、ケース本体１の前部上面に左右方向の軸回りに回動可能に軸支した操作部材１７の回動操作に連動させて、転写ヘッド１４が、被転写面Ｐに対する浮上状態から、被転写面Ｐに向けて当接しうるように変動させて、転写テープ２の塗膜を被転写面Ｐに転写可能にし、かつ不使用時に、操作部材１７の操作を開放することにより、転写ヘッド１４が被転写面Ｐから離間して浮上状態となるように復帰させて、転写ヘッド１４による被転写面Ｐへの転写を中止しうるようにする。【選択図】  図３
2008221775.tif 000002
【特許請求の範囲】
【請求項１】
ケース本体内に、供給リールと巻取リールを設けるとともに、供給リールに巻回した転写テープを、ケース本体の前端開口に設けた転写ヘッドを経て、巻取リールに巻き取るようにした塗膜転写具において、
前端に転写ヘッドを設けたヘッド部材を、ケース本体の前端開口に、転写ヘッドが上下しうるように設けるとともに、このヘッド部材を、使用時に、ケース本体の前部上面に左右方向の軸回りに回動可能に軸支した操作部材の回動操作に連動させて、転写ヘッドが、被転写面に対する浮上状態から、被転写面に向けて当接しうるように変動させて、転写テープの塗膜を被転写面に転写可能にし、かつ不使用時に、操作部材の回動操作を開放することにより、転写ヘッドが被転写面から離間して浮上状態となるように復帰させて、転写ヘッドによる被転写面への転写を中止しうるようにしたことを特徴とする塗膜転写具。
【請求項２】
ヘッド部材を、ケース本体の前端開口に突出させた左右１対のヘッド支持フレーム間に、転写ヘッドが上下しうるように回動可能に軸支し、ばねの付勢力により、転写ヘッドが浮上状態に弾性復帰しうる方向に、常時付勢するとともに、ヘッド部材の後端に、操作部材における軸支部である延出部の外周端面を摺接させ、使用時に、操作部材を左右方向の軸回りに回動操作することにより、ヘッド部材を、ばねの付勢力に抗して、転写ヘッドが下向きに移動するように回動可能とし、かつ不使用時に、操作部材の回動操作を開放することにより、ヘッド部材を、ばねの付勢力をもって、転写ヘッドが上向きに移動して回動復帰しうるようにした請求項１記載の塗膜転写具。
【請求項３】
ヘッド部材を、ケース本体の前端開口に突出させた左右１対のヘッド支持フレーム間に、弾性支持片をもって、転写ヘッドが上下しうるように首振り可能に支持するとともに、ヘッド部材の後端に、操作部材における軸支部である延出部の外周に形成した偏心カム面を摺接させ、使用時に、操作部材を左右方向の軸回りに回動操作することにより、弾性支持片を、その弾力に抗して撓み変形させて、ヘッド部材を、転写ヘッドが下向きに移動するように下方に向けて湾曲させ、かつ不使用時に、操作部材の回動操作を開放することにより、ヘッド部材を、弾性支持片の弾力をもって、転写ヘッドが上向きに移動して復帰しうるようにした請求項１記載の塗膜転写具。
【発明の詳細な説明】
【技術分野】
【０００１】
本発明は、修正塗膜や糊塗膜などを、被転写面に転写するための塗膜転写具に関する。
【背景技術】
【０００２】
塗膜転写具は、ケース本体内に、供給リールと巻取リールとを設け、供給リールに巻回した転写テープを、ケース本体の前端開口から突出させた転写ヘッドを経て、巻取リールに巻き取るようにしたものが公知である（例えば、特許文献１，２参照）。
【０００３】
しかし、特許文献１，２記載の塗膜転写具では、使用時に、ケース本体の後半部だけを不用意に握って、転写作業を行うことがあるが、この場合、ケース本体が、掌により必然的に浅く握られ、力点が後方になる。
そのため、転写作業が不安定になって、転写テープの片浮きが生じ易く、転写失敗の要因になるという問題があった。
【特許文献１】特開２０００−２６０１４号公報
【特許文献２】特開２０００−３７９９１号公報
【発明の開示】
【発明が解決しようとする課題】
【０００４】
本発明は、前記の現状に鑑み、使用時の転写作業を安定して行えるとともに、転写テープの片浮きによる転写失敗を効果的に防止することができるようにした塗膜転写具を提供することを目的とする。
【課題を解決するための手段】
【０００５】
上記課題は、「特許請求の範囲」の欄における各請求項に記載するように、次のような構成からなる発明によって解決される。
（１）  ケース本体内に、供給リールと巻取リールを設けるとともに、供給リールに巻回した転写テープを、ケース本体の前端開口に設けた転写ヘッドを経て、巻取リールに巻き取るようにした塗膜転写具において、前端に転写ヘッドを設けたヘッド部材を、ケース本体の前端開口に、転写ヘッドが上下しうるように設けるとともに、このヘッド部材を、使用時に、ケース本体の前部上面に左右方向の軸回りに回動可能に軸支した操作部材の回動操作に連動させて、転写ヘッドが、被転写面に対する浮上状態から、被転写面に向けて当接しうるように変動させて、転写テープの塗膜を被転写面に転写可能にし、かつ不使用時に、操作部材の回動操作を開放することにより、転写ヘッドが被転写面から離間して浮上状態となるように復帰させて、転写ヘッドによる被転写面への転写を中止しうるようにする。
【０００６】
（２）  上記（１）項において、ヘッド部材を、ケース本体の前端開口に突出させた左右１対のヘッド支持フレーム間に、転写ヘッドが上下しうるように回動可能に軸支し、ばねの付勢力により、転写ヘッドが浮上状態に弾性復帰しうる方向に、常時付勢するとともに、ヘッド部材の後端に、操作部材における軸支部である延出部の外周端面を摺接させ、使用時に、操作部材を左右方向の軸回りに回動操作することにより、ヘッド部材を、ばねの付勢力に抗して、転写ヘッドが下向きに移動するように回動可能とし、かつ不使用時に、操作部材の回動操作を開放することにより、ヘッド部材を、ばねの付勢力をもって、転写ヘッドが上向きに移動して回動復帰しうるようにする。
【０００７】
（３）  上記（１）項において、ヘッド部材を、ケース本体の前端開口に突出させた左右１対のヘッド支持フレーム間に、弾性支持片をもって、転写ヘッドが上下しうるように首振り可能に支持するとともに、ヘッド部材の後端に、操作部材における軸支部である延出部の外周に形成した偏心カム面を摺接させ、使用時に、操作部材を左右方向の軸回りに回動操作することにより、弾性支持片を、その弾力に抗して撓み変形させて、ヘッド部材を、転写ヘッドが下向きに移動するように下方に向けて湾曲させ、かつ不使用時に、操作部材の回動操作を開放することにより、ヘッド部材を、弾性支持片の弾力をもって、転写ヘッドが上向きに移動して復帰しうるようにする。
【発明の効果】
【０００８】
本発明によると、次のような効果が奏せられる。
請求項１記載の発明によると、前端に転写ヘッドを設けたヘッド部材を、ケース本体の前端開口に、転写ヘッドが上下しうるように設けるとともに、このヘッド部材を、使用時に、ケース本体の前部上面に左右方向の軸回りに回動可能に軸支した操作部材の回動操作に連動させて、転写ヘッドが、被転写面に対する浮上状態から、被転写面に向けて当接しうるように変動させて、転写テープの塗膜を被転写面に転写可能にしてあるため、使用時に、操作部材を回動操作する際に、ケース本体が、掌により必然的に深く握られ、力点が前方になる。
これにより、転写作業を安定して行えるとともに、転写テープの片浮きによる転写失敗を効果的に防止することができる。
また、不使用時に、操作部材の回動操作を開放することにより、転写ヘッドが被転写面から離間して浮上状態となるように復帰させて、転写ヘッドによる被転写面への転写を中止しうるようにしてあるため、誤って他の箇所に塗膜が転写されるのを防止することができる。
【０００９】
請求項２記載の発明によると、ヘッド部材を、ケース本体の前端開口に突出させた左右１対のヘッド支持フレーム間に、転写ヘッドが上下しうるように回動可能に軸支し、ばねの付勢力により、転写ヘッドが浮上状態に弾性復帰しうる方向に、常時付勢するとともに、ヘッド部材の後端に、操作部材における軸支部である延出部の外周端面を摺接させ、使用時に、操作部材を左右方向の軸回りに回動操作することにより、ヘッド部材を、ばねの付勢力に抗して、転写ヘッドが下向きに移動するように回動可能とし、かつ不使用時に、操作部材の回動操作を開放することにより、ヘッド部材を、ばねの付勢力をもって、転写ヘッドが上向きに移動して回動復帰しうるようにしてあるため、使用時の転写作業を安定して行えるとともに、転写作業の中止時に、誤って他の箇所に塗膜が転写されるのを防止することができる。
【００１０】
請求項３記載の発明によると、ヘッド部材を、ケース本体の前端開口に突出させた左右１対のヘッド支持フレーム間に、弾性支持片をもって、転写ヘッドが上下しうるように首振り可能に支持するとともに、ヘッド部材の後端に、操作部材における軸支部である延出部の外周に形成した偏心カム面を摺接させ、使用時に、操作部材を左右方向の軸回りに回動操作することにより、弾性支持片を、その弾力に抗して撓み変形させて、ヘッド部材を、転写ヘッドが下向きに移動するように下方に向けて湾曲させ、かつ不使用時に、操作部材の回動操作を開放することにより、ヘッド部材を、弾性支持片の弾力をもって、転写ヘッドが上向きに移動して復帰しうるようにしてあるため、使用時の転写作業を安定して行えるとともに、転写作業の中止時に、誤って他の箇所に塗膜が転写されるのを防止することができる。
【発明を実施するための最良の形態】
【００１１】
以下、本発明の実施形態を、添付図面を参照して説明する。
図１は、本発明の第１実施形態における塗膜転写具の使用状態を示す斜視図、図２は、非転写時における塗膜転写具の縦断面図、図３は、同じく、転写時における塗膜転写具の縦断面図である。
【００１２】
なお、以下の説明において、図１に示すように、左下から右上に至る方向を「前後方向」、右下から左上に至る方向を「左右方向」とする。
【００１３】
本発明の塗膜転写具は、図１および図２に示すように、掌の中に包持可能に形成された縦引き型形状を有する合成樹脂製のケース本体１内に、転写テープ２を巻回した供給リール３が装着された第１歯車４と、この第１歯車４に噛合し、かつ転写後の転写テープ２′を巻き取る巻取リール５が装着された第２歯車６と、ケース本体１の前端開口７から前方に向けて突出させた左右１対のヘッド支持フレーム８、８と、これらヘッド支持フレーム８、８間に設けられ、かつケース本体１の前端開口７側に位置させたヘッド部材９とを備えている。
【００１４】
ヘッド部材９は、前端９ａが尖状部をなすとともに、後端９ｂが摺接辺をなす側面視三角形状の左右１対の側面板１０、１０をもって形成されており、左右の側面板１０、１０間は、連結板１１により連結されている。
【００１５】
ヘッド部材９は、左右のヘッド支持フレーム８、８間に、後端９ｂの下部が左右方向を向く水平軸１２の軸回りに回動自在に軸支して取り付けられている。
ヘッド部材９の前端９ａにおける左右の側面板１０、１０間には、左右方向を向く水平軸１３の軸回りに、ローラ状の転写ヘッド１４が、左右の側面板１０、１０の下端から露出させた状態で回転自在に軸支されている。
この転写ヘッド１は、ヘッド部材９の回動により、上下しうるように設けられている。
【００１６】
水平軸１２には、コイルばね１５が巻装されており、不使用時には、転写ヘッド１４が、被転写面である紙面Ｐから浮上状態に弾性復帰しうる方向に、ヘッド部材９における転写ヘッド１４が上向きに移動して回動復帰しうるように、時計回りに常時付勢している。
【００１７】
ケース本体１内の前部には、左右方向を向く水平軸１６の軸回りにおける後方に向く時計回りに、操作部材１７が回動可能に軸支されている。
この操作部材１７の上端部１７ａは、ケース本体１の前部上面から突出させてあり、下端の軸支部１７ｂには、下方に向けて延設された延出部１８が設けられている。
【００１８】
延出部１８は、ヘッド部材９における後端９ｂの上部に後方から当接されて摺接可能になっているとともに、後面をストッパー１９に当接させることにより、操作部材１７の反時計回りの回動およびコイルばね１５の付勢力によるヘッド部材９の時計回りの回動範囲が規制されるようになっている。
【００１９】
操作部材１７の上端部１７ａは、図３に示すように、水平軸１６の軸回りにおける後方に向けて、コイルばね１５の付勢力に抗して回動操作され、延出部１８の外周端面１８ａを、ヘッド部材９の後端９ｂに摺接させながら、時計回りに回動させることにより、ヘッド部材９を反時計回りに回動させ、転写ヘッド１４が下向きに移動しうるように、連動させてある。
これにより、使用時に、転写ヘッド１４が、紙面Ｐに対する浮上状態から、紙面Ｐ上に向けて当接され、転写が可能となるようにしてある。
【００２０】
不使用時には、操作部材１７の回動操作を開放することにより、図２に示すように、コイルばね１５の付勢力によって、ヘッド部材９を時計回りに回動させ、転写ヘッド１４が紙面Ｐから離間して浮上状態となるように復帰させると同時に、操作部材１７を反時計回りに回動復帰しうるようになっている。
【００２１】
次に、本発明における塗膜転写具の操作手順を説明する。
使用開始時には、図１および図３に示すように、ケース本体１を、掌で包み込むようにして握り、人指し指で操作部材１７を時計回りに回動させる。
これにより、ヘッド部材９は、コイルばね１５の付勢力に抗して反時計回りに回動して、転写ヘッド１４を紙面Ｐ上に当接させる。
【００２２】
次いで、ケース本体１を、塗膜の塗布方向である後方に向けて水平方向に摺動させることにより、転写テープ２の塗膜を、紙面Ｐ上に転写することができる。
また、不使用時には、操作部材１７の回動操作を開放することにより、ヘッド部材９は、コイルばね１５の付勢力により、図２に示すように、転写ヘッド１４が上向きに移動して紙面Ｐから浮上状態となるように、時計回りに回動復帰し、転写を中止することができる。
【００２３】
なお、上記実施形態において、ヘッド部材９の上方が開放するヘッド支持フレーム８、８間に、塵や埃等から保護する保護カバーを設けてもよい。
【００２４】
図４は、本発明の第２実施形態における非転写時の縦断面図、図５は、同じく、転写時の縦断面図である。
【００２５】
第２実施形態と前記第１実施形態との相違点は、図４に示すように、ケース本体２０の前端部に設けられたヘッド部材２１を、弾性支持片２２をもって上下方向に首振り可能に支持するとともに、ヘッド部材２１の後端２１ａに、操作部材２３における左右方向の軸回りに回動可能に軸支される軸支部である延出部２３ａの外周に形成した偏心カム面２４を摺接させるようにしたことにある。
【００２６】
使用時には、図５に示すように、操作部材２３を時計回りに回動操作することにより、弾性支持片２２の弾力に抗して、弾性支持片２２を撓み変形させるとともに、ヘッド部材２１の前端２１ｂに設けた転写ヘッド２５が下向きに移動しうるように、ヘッド部材２１を湾曲させて、転写ヘッド２５を紙面Ｐ上に当接し、転写が可能となるようにしてある。
【００２７】
不使用時には、操作部材２３の回動操作を開放し、弾性支持片２２の弾力により、ヘッド部材２１を上向きに弾性復帰させて、転写ヘッド２５が上向きに移動して、紙面Ｐから離間する方向に復帰しうるようにしてある。
これにより、転写を中止することができる。
【図面の簡単な説明】
【００２８】
【図１】本発明の第１実施形態における塗膜転写具の使用状態を示す斜視図である。
【図２】非転写時の縦断面図である。
【図３】同じく、転写時の縦断面図である。
【図４】本発明の第２実施形態における非転写時の縦断面図である。
【図５】同じく、転写時の縦断面図である。
【符号の説明】
【００２９】
１    ケース本体
２    転写テープ
２′  転写テープ
３    供給リール
４    第１歯車
５    巻取リール
６    第２歯車
７    前端開口
８    ヘッド支持フレーム
９    ヘッド部材
９ａ  前端
９ｂ  後端
１０  側面板
１１  連結板
１２  水平軸
１３  水平軸
１４  転写ヘッド
１５  コイルばね
１６  水平軸
１７  操作部材
１７ａ  上端部
１７ｂ  軸支部
１８  延出部
１８ａ  外周端面
１９  ストッパ
２０  ケース本体
２１  ヘッド部材
２１ａ  後端
２１ｂ  前端
２２  弾性支持片
２３  操作部材
２３ａ  延出部
２４  偏心カム面
２５  転写ヘッド
Ｐ    紙面（被転写面）
【図１】
2008221775.tif 000003
【図２】
2008221775.tif 000004
【図３】
2008221775.tif 000005
【図４】
2008221775.tif 000006
【図５】
2008221775.tif 000007